(57)【特許請求の範囲】
【請求項１】
髪の毛に添加物を適用するための装置であって、
ハンドルと、
作動中に髪の毛と接触するための縦方向に延在する基板部分とを含み、
該基板部分は、前記ハンドルに解放可能に取り付け可能であり、且つ、添加物のための分配システムを含み、
該分配システムは、添加物ディスペンサーに接続される入口を有し、前記分配システムは、作動中に髪の毛に前記添加物を適用するための出口を有し、
前記分配システムは、被膜要素によって覆われる分配チャネルを備えるキャリア要素を含み、該キャリア要素及び前記被膜要素は、互いに着脱可能に接続され、
前記キャリア要素と前記被膜要素との間の接続は、前記基板部分が前記ハンドルから取り外された後にのみ、前記キャリア要素及び前記被膜要素が互いに取り外し可能であるように構成されることを特徴とする、
装置。
【請求項２】
請求項１に記載の装置を含む電気ヘアースタイラーであって、電源を含む、電気ヘアースタイラー。
【請求項３】
前記キャリア要素は、スロットを含み、前記被膜要素は、可撓な舌を含み、該舌は、前記キャリア要素及び前記被膜要素が互い対して取り付けられるときに前記スロット内に適合し、前記ハンドルは、前記キャリア要素が前記ハンドルに取り付けられるときに前記スロット内の前記舌をブロックするブロッキング要素を含むことを特徴とする、請求項２に記載の電気ヘアースタイラー。
【発明の詳細な説明】
【０００１】
本発明は、髪の毛への添加物を適用するための装置に関係があり、作動中に髪の毛と接触するために縦方向に延在する基板部品を含み、前述の基板部品は添加物のための分配システムを含み、前述の分配システムは添加物ディスペンサーに接続される入り口を有しており、前述の分配システムは、作動中の髪の毛に添加物を適用するための出口を有している。
【０００２】
さらに本発明は、電源とハンドルからなる電気的なヘアースタイラー（ｈａｉｒｓｔｙｌｅｒ）に関し、髪の毛に添加物を適用するための装置からなり、前述の装置は作動中に髪の毛と接触するために縦方向に延在する基板部品を含み、前述の基板部品は添加物のための分配システムを含み、前述の分配システムは添加物ディスペンサーに接続される入り口を有しており、前述の分配システムは、作動中の髪の毛に添加物を適用するための出口を有している。
【０００３】
序章にて定義される種類の髪の毛に添加物を適用するための装置は、ＥＰ０５２３４６０Ｂ１により既知である。かかる既知の装置の基板部分は、クシ歯を伴うクシ本体による形成される。クシ本体及びクシ歯は中空であり、このようにして、既知の装置が髪の毛のスタイルのための泡である、添加物を分配するための分配システムを形成する。入り口は、噴出を操作する部分及び容器からなる添加物ディスペンサーに接続される、中空のクシ本体の放出するチューブである。操作中に髪の毛に適用される泡を介する分配システムの出口は、中空のクシ歯の末端での開口（ａｐｅｒｔｕｒｅｓ）によって形成される。操作中にボタンを活性化することによって、泡は、泡放出チューブ及び中空のクシ本体を介してディスペンサーから放出され、中空のクシ歯を介してクシ歯の開口に向かい、このようにして髪の毛に導かれる。既知の装置の欠点は、操作後の分配システム内に残存する添加物が、従来の手法で分配システムから除去できないことである。残存する添加物が分配システムを妨害し、したがって装置の適切な操作を妨げるために問題である。
【０００４】
本発明の目的は、清掃を容易くする序章で定義された種類の髪の毛に添加物を適用するための装置を提供することである。
【０００５】
かかる目的を達成するために、本発明による髪の毛に添加物を適用するための装置は、キャリア要素が被膜要素によって覆われており、一方でキャリア要素と被膜要素がお互いに着脱可能で接続される、分配チャネルを伴うキャリア要素からなる分配システムを特徴とする。分配システムは、被膜要素からキャリア要素を着脱することにより清潔にする目的に容易にアクセス可能になることができる。結果として、分配システムは、簡素な手法で清潔さを保つことが可能で、装置の良好な髪形を整える実行は保護される。分配システムはさらに、大量生産で効率的に製造され、組み立てが簡単な２つの構成部分だけからなる。分配システムは、このようにして比較的簡素でコスト効率の良い手法で認識される。続いて、被膜要素は二重機能を実行する。一方で、装置の内部周辺エリアが分配システムを覆い、もう一方では、装置の外部周囲エリアはブラシヘアー若しくはピンのような追加的なヘアースタイリング要素を収容できる。
【０００６】
本発明によると、序章に記載された種類の電気的なヘアースタイラーは、添加物を適用するための装置が本発明による装置であることを特徴とする。
【０００７】
キャリア要素と被膜要素が着脱可能でお互いに接続される、本発明による電気的なヘアースタイラーにおいては、作動中にキャリア要素と被膜要素がハンドルに接続している場合に、お互いに対する結合においてのみ、ハンドルから着脱可能であることが有利である。別の部分が着脱後、関連する要素の一つがハンドルに接続するべき場合、潜在的な危険な状態がもたらされる。添加物を用いたヘアースタイラーの使用後の両要素を清潔にしたい使用者は、例えば、水で一つの緩い部分を安全に清潔にすることが可能である。また別部分が接続される電源手段を伴うハンドルは、偶然に差し込まれるかもしれないので液体と触れるべきではない。お互いに結合している場合での、キャリア要素及び被膜要素がハンドルから着脱可能な場合のみ、電気的な構成要素を伴うハンドルから着脱された両者が着脱する後でだけ、要素は両方とも個別に清掃可能である。これは、装置の使用の安全性に役立つ。
【０００８】
キャリア要素がスロットからなり、被膜要素が、キャリア要素と被膜要素がお互いに接続している場合にスロット内に適合している柔軟な舌（ｔｏｎｇｕｅ）からなり、ハンドルが、キャリア要素がハンドルに接続している場合にスロット内の舌をブロックするブロッキング要素からなることは利点である。キャリア要素及び被膜要素の両方が、被膜要素の舌がブロッキング要素によってキャリア要素内のスロットにおいて、もはやブロックできないままで、ハンドルからともに着脱されるまで、及びキャリア要素から分離ができる。
【０００９】
本発明は、添付の図に関して、より詳細に記載されるであろう。
【００１０】
図１は、本発明による電気的なヘアースタイラー４１に提供された、本発明による髪の毛に添加物を適用するための装置１の第一の実施態様を示している。装置１は、作動中に髪の毛と接触するための縦方向に延在する基板部分２からなり、基板部分２は、添加物のための分配システム３からなる。かかる実施態様において、基板部分２は、基板部分の外側の周囲表面の大部分にブラシピン６２が提供されている。しかしながら、前述の要素が提供される基板部分の要素及びエリアでの変化が可能である。例えば、ブラシピンはまた、基板部分２の外部の周辺表面の半分のみに提供されるか、若しくはブラシヘアーは、ピンの変わりに提供されるかもしれない。分配システム３は、添加物ディスペンサー５に接続される入り口を有している。添加物ディスペンサー５は、使用される添加物に依存する、本来から既知の種類である。入り口４は、キャリア要素１０の直径よりも大きい直径の第二の中空の円筒状の本体により形成される被膜要素１１によって覆われている、中空の円筒状の本体によって形成されるキャリア要素１０に供給される。作動中にキャリア要素１０はハンドル２４に接続される。かかる実施態様の分配チャネル７は、キャリア要素１０と被膜要素１１間の空間により形成されて、前述の空間は要素の直径の差異による結果であり、図では示されていない仕切りによって提供されている。被膜要素１１は、キャリア要素１０の円筒状の本体の壁の開口とつながっている被膜要素１１の円筒状の本体の壁の開口によって形成される、作動中に添加物を髪の毛に適用するための出口６を有する。前述の被膜要素１１は、２つの円筒状の要素を縦軸方向に沿ってスライドすることによってお互いにキャリア要素１０から着脱可能である。被膜要素１１は、このようにして装置を使用した後にキャリア要素１０から着脱可能で、装置の部分は残存の添加物を除去するために容易く清掃できる。利点は、装置１の次ぎの使用中における、分配システム３による適切な添加物の流れである。電気的なヘアースタイラー４１はさらに、電源手段４２からなる。電源手段４２は、本来から周知の種類であり、ここに図解で示されている。
【００１１】
図２ａは、キャリア要素１０´及び被膜要素１１´が本発明による電気的なヘアースタイラー４１のハンドル２４にお互いに接続している、キャリア要素１０´及び被膜要素１１´間の着脱式接続９０を有する本発明による添加物を適用するための装置の第二実施態様の図解である。添加物の分配に関するキャリア要素１０´及びカバー素子１１´の部分は、図解的にのみ示されている。
【００１２】
図２ｂは、キャリア要素及び被膜要素が未接続の状態である、図２ａのキャリア要素１０´及び被膜要素１１´間の着脱可能な接続９０を示している。キャリア要素１０´はスロット９２からなり、被膜要素１１´は、キャリア要素１０´及び被膜要素１１´がお互いに結合している場合に、スロット９２に適合する柔軟な舌９１からなる。ハンドル２４は、キャリア要素１０´がハンドルに結合している場合にスロット９２での舌９１をブロックする、ハンドルの一部分であるフランジによって形成される、ブロッキング要素９３からなる。矢印１にて示されているように、ブロッキング要素９３を伴うハンドル２４が、被膜要素１１´を伴うキャリア要素１０´の組み立てから分離される場合、ブロッキング要素９３は、キャリア要素１０´におけるスロット９２の被膜要素１１´の舌９１をもはやブロックしない。次いで、矢印２で示されているように、舌９１はスロット９２から解放され、被膜要素１１´及びキャリア要素１０´はお互いに着脱される。使用後の要素の一つが電気的な構成部分を収容するハンドルに結合したままである場合、ハンドルに接続している要素は、プラグが接続されたままでは清掃中に液体に暴露されるであろう。これは、使用者にとって危険な状態を導くであろう。好ましい実施態様において、ハンドルからの両要素の着脱後のみで前述の要素はお互いに着脱可能であるため、ハンドルから着脱された後のみで、２つの要素は分離した清掃が可能であり、このようにして装置の安全な取り扱いはまた、操作後に保護される。
【００１３】
本発明は、前述の実施態様に実施態様に制限されないことを注意する。スロットに適合する舌によって形成され、そこでブロッキング要素によってブロックされるキャリア要素と被膜要素間の着脱可能な接続に代わって、かかる接続は、例えば、スクリュー若しくはスナップ接続のような、任意の種類の接続からなるであろう。
【００１４】
前述の添加物ディスペンサー５を伴って提供される本発明による髪の毛に添加物を適用するための装置１は、単独で若しくは電気へアースタイラーとの組み合わせで使用できることをさらに注意する。キャリア要素１０及び被膜要素１１が電気的なヘアースタイラーに提供される場合、キャリアー要素及び被膜要素は、作動中のハンドルに接続される。前述の部分が、お互いに結合中のみにおけるハンドルから着脱可能な場合、使用における安全性は有利である。
【００１５】
重要な装置を用意に清掃する、添加物の構成に起因する使用の後に、泡、ヘアーローション、ヘアートニック、ヘアーコンディショナー若しくは毛染めのような添加物が分配システムに残存し易いため、本発明による髪の毛に添加物を適用するための装置が特に有利であることが観察される。
【図面の簡単な説明】
【図１】  本発明による髪の毛に添加物を適用するための装置の第一の実施態様からなる本発明による電気的なヘアースタイラーの図解である。
【図２ａ】  キャリア要素及び被膜要素が本発明による電気的なヘアースタイラー４１のハンドルにお互いに接続している、キャリア要素及び被膜要素間の着脱可能な接続を有する本発明による添加物を適用するための装置の第二実施態様の図解である。
【図２ｂ】  キャリア要素及び被膜要素が未接続の状態である、図２ａのキャリア要素及び被膜要素間の着脱式接続を示している。
【図１】
0004820048.tif 000002
【図２ａ】
0004820048.tif 000003
【図２ｂ】
0004820048.tif 000004